(57)【特許請求の範囲】
【請求項１】
バーガンのための広告アクセサリであって、前記広告アクセサリは、
フレームと、
前記フレームから延在するブランディング部であって、前記フレームに対して垂直である、ブランディング部と、
前記ブランディング部の前面のブランディング領域と、
前記フレーム内に形成され、かつ前記バーガンのユーザインターフェースプレートを受容するように構成された、ユーザインターフェースくぼみと、
前記ブランディング部の後面から延在し、かつ前記フレームに対して平行である係止クリップであって、前記バーガンの底面に係合するように構成された、係止クリップと、を備え、
前記前面が、広告を表示し、
前記前面が、前記バーガンのための前記広告アクセサリを前記バーガンに結合したときに、前記前面が、前記バーガンの飲料供給ラインと反対側にあるように構成され、
前記フレームが、前記バーガンの前記ユーザインターフェースプレートの全周にわたって延在するように構成されている、広告アクセサリ。
【請求項２】
バーガンのための広告アクセサリであって、前記広告アクセサリは、
フレームと、
前記フレームの前端部に結合され、かつ前記フレームから垂直に延在する、ブランディング部と、
前記フレーム内に形成され、かつ前記バーガンのユーザインターフェースプレートを受容するように構成された、ユーザインターフェースくぼみと、
前記ブランディング部から延在し、かつ前記フレームに対して平行である係止クリップであって、前記バーガンの底面に係合するように構成された、係止クリップと、を備え、
前記ブランディング部が、広告を表示し、
前記フレームが、前記バーガンの前記ユーザインターフェースプレートの全周にわたって延在するように構成されている、広告アクセサリ。
【請求項３】
前記ブランディング部が、広告バッジを取り外し可能に受容するように構成された広告バッジ嵌合面を含む、請求項２に記載の広告アクセサリ。
【請求項４】
前記広告バッジ嵌合面に取り外し可能に結合される広告バッジを更に備える、請求項３に記載の広告アクセサリ。
【請求項５】
前記ユーザインターフェースくぼみにおける前記フレームの厚さが、前記バーガンの前記ユーザインターフェースプレートの厚さと同じである、請求項２に記載の広告アクセサリ。
【請求項６】
前記広告が、飲料ロゴである、請求項２に記載の広告アクセサリ。
【請求項７】
前記広告が、商標である、請求項２に記載の広告アクセサリ。
【請求項８】
前記広告アクセサリが、接着剤を伴わずに、前記バーガンに結合される、請求項２に記載の広告アクセサリ。
【請求項９】
前記ブランディング部の後面が、一辺は前記係止クリップによって画定され、二辺は側方支持クリップによって画定されている、請求項２に記載の広告アクセサリ。
【請求項１０】
前記フレーム内に形成された取り外しタブを更に備え、前記取り外しタブは、前記ブランディング部の反対側に前記フレーム内の凹部として形成されている、請求項２に記載の広告アクセサリ。
【請求項１１】
前記フレーム内に形成された前記凹部が、前記フレームの幅全体にわたって延在していない、請求項１０に記載の広告アクセサリ。
【請求項１２】
バーガンのための広告アクセサリであって、前記広告アクセサリは、
フレームと、
前記フレームの前側から延在するブランディング部であって、前記フレームに対して垂直であり、ブランディング領域を有する、前記ブランディング部の前面と、
前記ブランディング部の後面から延在し、かつ前記フレームに対して平行である係止クリップとを備え、
前記ブランディング領域が、前記ブランディング部に配置され、かつ広告を表示する、広告アクセサリ。
【請求項１３】
前記フレーム内に形成されたユーザインターフェースくぼみを更に備える、請求項１２に記載の広告アクセサリ。
【請求項１４】
前記フレームが、前記バーガンの上面と嵌合するように構成されている、請求項１２に記載の広告アクセサリ。
【請求項１５】
前記フレームが、分配ボタンを受容するように構成されている、請求項１２に記載の広告アクセサリ。
【請求項１６】
前記広告アクセサリが、締結具を使用せずに前記バーガンに取り付けられるように構成されている、請求項１２に記載の広告アクセサリ。
【請求項１７】
ユーザが前記バーガンから前記広告アクセサリを取り外すのを支援するように構成された取り外しタブを更に備える、請求項１２に記載の広告アクセサリ。
【請求項１８】
前記広告が、飲料ロゴである、請求項１２に記載の広告アクセサリ。
【請求項１９】
前記ブランディング領域が、広告バッジを取り外し可能に受容するように構成された、請求項１２に記載の広告アクセサリ。
【請求項２０】
前記後面が、一辺は前記係止クリップによって画定され、二辺は側方支持クリップによって画定されている、請求項１に記載の広告アクセサリ。
【発明の詳細な説明】
【技術分野】
【０００１】
記載した実施形態は、概して、広告アクセサリに関する。具体的には、記載した実施形態は、バーガンのための広告アクセサリに関する。
【発明の概要】
【０００２】
開示されるいくつかの実施形態によれば、広告アクセサリは、フレームと、フレームの片側から延在する前面と、を含む。前面は、前面の一部又は全部にわたって延在するブランディング領域を含むことができる。ブランディング領域は、例えばロゴ又は商標などの広告を示すことができる。ユーザインターフェースのくぼみは、フレーム内に形成することができ、また、バーガンのユーザインターフェースプレートを受容するように構成することができる。広告アクセサリは、前面から延在し、かつフレームに対して平行である係止クリップも含むことができる。クリップは、バーガンのノズル面に係合するように構成することができる。クリップ及びフレームは、広告アクセサリをバーガンに結合する。いくつかの実施形態において、フレームは、バーガンのユーザインターフェースプレートの周囲に延在する。いくつかの実施形態において、クリップ及びフレームは、広告アクセサリとバーガンとのスナップ嵌め接続を形成する。
【０００３】
いくつかの実施形態において、広告アクセサリは、バッジ嵌合面を含む。バッジ嵌合面は、広告アクセサリの前面に形成することができ、かつブランディングバッジに係合するように構成することができる。ブランディングバッジは、交換可能とすることができ、各ブランディングバッジは、例えば飲料ロゴ、会社ロゴ、スポーツチームロゴ、他のロゴ、商標、又はサービスマークなどの異なる広告を含むことができる。ブランディングバッジは、バッジを変更して広告エクスペリエンスをカスタマイズすることができるように、バッジ嵌合面に取り外し可能に結合することができる。ブランディングバッジは、摩擦接続、スナップ係止接続、又は例えばねじ、接着剤、若しくは干渉嵌めなどの他の接続タイプを使用して、バッジ嵌合面と嵌合させることができる。
【０００４】
いくつかの実施形態による広告アクセサリは、バーガンの上面の上に露出している、バーガンのユーザインターフェースプレートの厚さと同じである、ユーザインターフェースくぼみにおけるフレーム厚さを有する。ユーザインターフェースくぼみにおけるフレーム厚さ及びユーザインターフェースプレートの厚さが同じであるとき、ユーザインターフェースプレート及び広告アクセサリは、滑らかで連続的な外観を提示することができる。
【０００５】
使用に際して、バーガンのための広告アクセサリは、バーガンのユーザの反対側に面する前面を有することができる。このようにして、バー、レストラン、又は他の店舗の顧客には、飲料が分配されるときに、広告アクセサリの前面に示されている広告が提示される。ブランドの提示は、ブランドの認知を高めることができ、かつより広いブランドの認知に寄与することができる。いくつかの実施形態において、前面は、飲料ロゴ又は商標を表示する。表示されるロゴ又は商標は、分配することができる飲料に対応することができる。広告アクセサリを有するバーガンを使用して飲料を分配するとき、ブランディング領域は、バーガンのユーザの反対側に面する。
【０００６】
広告アクセサリは、広告アクセサリのフレームと係止クリップとの間に作成されるスナップ嵌め接続だけを使用して、バーガンに結合することができる。すなわち、広告アクセサリは、接着剤又は締結具を使用することなく、バーガンに結合することができる。広告アクセサリの後面は、一辺は係止クリップで画定し、二辺は側方支持突起で画定することができる。係止クリップ及び側方支持突起は、バーガンの異なる表面に延在することができる。いくつかの実施形態において、広告アクセサリは、フレーム上に形成された取り外しタブを含む。取り外しタブは、広告アクセサリの前面の反対側にフレーム内の凹部として形成することができる。取り外しタブは、ユーザがバーガンから広告アクセサリを取り外すのを支援することができる。取り外しタブは、広告アクセサリの片側の長さ又は幅の全部又は一部分にわたって延在することができる。
【０００７】
いくつかの実施形態において、バーガンのための広告アクセサリは、くぼみを含まない。これらの実施形態のうちのいくつかにおいて、バーガンのための広告アクセサリ及びバーガンのユーザインターフェースプレートは、一体構造とすることができ、例えば、ねじなどの締結具によってバーガンに固定することができる。
【図面の簡単な説明】
【０００８】
開示は、添付図面と共に以下の詳細な説明により容易に理解され得、その際、同様の参照番号は同様の構造的要素を示す。
【０００９】
【図１】広告アクセサリ及びバーガンを示す図である。
【００１０】
【図２】図１の広告アクセサリ及びバーガンの分解図である。
【００１１】
【図３】図１の広告アクセサリの上面正面斜視図である。
【００１２】
【図４】図１の広告アクセサリの上面後面斜視図である。
【００１３】
【図５】図１の広告アクセサリ、及びバーガンの左側面図である。
【００１４】
【図６】図１の広告アクセサリ、及び広告バッジを示す図である。
【００１５】
【図７】広告アクセサリを有するバーガンを示す図である。
【発明を実施するための形態】
【００１６】
以下、添付図面に例示される代表的な実施形態を詳細に参照する。以下の説明は、複数の実施形態を１つの好ましい実施形態に限定することを意図するものではないことを理解されたい。それに対して、本発明は、特許請求の範囲によって定義される実施形態の趣旨及び範囲の範囲内に含まれ得る代替物、変形物、及び均等物を包含することを意図している。
【００１７】
本開示は、バーガンのための広告アクセサリを対象とする。ブランディングは、商品とサービスの消費者の認識を促進し、私のは、ベンダの新しい収入の流れも作り出す。広告アクセサリは、バーガンのユーザインターフェースフレームと嵌合し、かつバーガンの前縁部を覆って延在する。いくつかの実施形態において、広告アクセサリ及びユーザインターフェースプレートは、単一構造とすることができ、かつバーガンに装着することができる。
【００１８】
バーガンは、分配ノズルと、飲料分配ボタンと、を含む、飲料分配装置である。分配ボタンは、ユーザインターフェースプレート上に位置付けられる。ユーザインターフェースプレートは、分配ボタンを編成する。バーガンのユーザがユーザインターフェースプレートの分配ボタンを選択すると、対応する飲料が、１つ以上の飲料貯蔵部から、そして分配ノズルから分注される。飲料産業の必需品であるバーガンは、通常、レストラン、バー、売店、及び他の大量の飲料分配業務において使用される。
【００１９】
バーガンは、バーテンダ及び他の操作者が、分配される飲料を素早く切り換えることを可能にし、バーテンダの効率及び顧客満足度を向上させる。バーガンの広告のための限られた表面を示すバーガンは、使用する際に比較的小さい露出表面を有する。限られた表面は、バーガン自体が小さい物体であることだけでなく、バーガンを動作させるときに、この比較的小さい領域の大部分がユーザの手で隠れることによっても存在する。
【００２０】
本開示は、バーガンのための広告アクセサリの実施形態を対象とする。開示される実施形態は、バーガンの広告領域を拡張及び強調する。広告アクセサリは、ロゴ、スローガン、又は他の情報などの広告を表示することができる前面を有する。前面は、ブランディングバッジと交換可能に嵌合するように構成されたバッジ嵌合部分を有することができる。ブランディングバッジは、会社ロゴ、飲料ロゴ、又は他のブランド識別子を含むことができる。このようにして、広告アクセサリは、多様なブランディングバッジを表示することができる。
【００２１】
これらの及び他の実施例は、図面を参照しながら、以下で論じる。しかし、当業者であれば、これら図面に関して本明細書で提供する詳細な説明は、単に説明目的のみであり、限定すると解釈すべきではないことを理解するであろう。
【００２２】
いくつかの実施形態において、例えば図１に示されるように、広告アクセサリ１００は、バーガン２００に結合する。広告アクセサリ１００は、フレーム１０８と、フレームの前側に位置付けられた前面１０２と、を含む。フレーム１０８は、バーガン２００の上面２０６上に載る。ユーザインターフェースくぼみ１１０は、フレーム１０８内に形成され、かつバーガン２００のユーザインターフェースプレート２０２を取り囲む。バーガン２００の前面２１６は、広告アクセサリ１００の前面１０２によって、少なくとも部分的に隠される。前面１０２は、ブランディング領域１２２を含む。ブランディング領域１２２は、例えばロゴ又は他のブランディングなどの広告を含むことができ、かつ例えばステッカ又は表面印刷などの二次元のブランド表現を含むことができるか、又は隆起した、テクスチャ加工された、若しくは輪郭形成されたロゴなどの三次元ブランド表現を含むことができる。いくつかの実施形態において、図１に示されるように、ブランディングバッジ１０４は、バッジ嵌合面１０６に嵌合して、ブランディングバッジ１０４の一部として前面１０２及びブランディング領域１２２を形成することができる。
【００２３】
広告アクセサリ１００は、プラスチック、樹脂、金属、又は他の材料で作製することができる。例えば、広告アクセサリ１００又はその構成要素は、ポリテトラフルオロエチレンで作製することができる。広告アクセサリ１００又はその構成要素は、射出成形プロセスを使用して形成することができる。
【００２４】
図２は、いくつかの実施形態による広告アクセサリ１００及びバーガン２００の分解図を示す。バーガン２００は、中央本体２１４を含む。中央本体２１４は、バーガン２００の動作に必要な機構システムを含む。中央本体２１４は、飲料供給ライン２１０に接続される。飲料供給ライン２１０は、ユーザインターフェースプレート２０２でのユーザの選択に応答して、飲料及び飲料成分をバーガン２００に供給する。ノズル２０８は、飲料供給ライン２１０の反対側に位置付けられる。ノズル２０８は、バーガン２００の底面２１３から延在する。ユーザインターフェースプレート２０２は、バーガン２００の上面２０６に配置される。ユーザインターフェースプレート２０２は、ユーザインターフェースプレート厚さ２１８を有する。ユーザインターフェースプレート厚さ２１８は、バーガン２００の上面２０６の上側に延在するユーザインターフェースプレート２０２の一部分と定義することができる。
【００２５】
バーガン２００は、ユーザインターフェースプレート２０２を含む。ユーザインターフェースプレート２０２は、例えば締結具又は接着剤を使用して、バーガン２００に結合することができる。締結具２２０としては、ねじ又は他の機械的締結具を挙げることができる。いくつかの実施形態において、接着剤は、ユーザインターフェースプレート２０２をバーガン２００に保持する。ユーザインターフェースプレート２０２は、分配ボタン２０４を含む。分配ボタン２０４は、種々の飲料ブランド又は分配される飲料によってラベル付けすることができる。例えば、ある分配ボタン２０４をＰｅｐｓｉ−Ｃｏｌａ（登録商標）とラベル付けすることができ、別の分配ボタン２０４を水とラベル付けすることができ、別の分配ボタン２０４をソーダとラベル付けすることができる。各ボタンを押下することで、バーガン２００に、それぞれ、Ｐｅｐｓｉ−Ｃｏｌａ（登録商標）、水、及びソーダ水を分配させる。各分配ボタン２０４は、例えばバーカウンタの下などの、ユーザが飲料ソースを調整することができる異なる入力ラインと関連付けられる。いくつかの実施形態において、分配ボタン２０４は、ユーザインターフェースプレート２０２上に再配設することができる。分配製品が分配ボタン２０４のラベルと一致するように、入力ラインに対して対応する変更を行うことが必要であり得る。これは、バーガン２００の操作者がユーザインターフェースプレート２０２をカスタマイズして、分配内容物に一致させることを可能にするので、特に有用であり得る。
【００２６】
バーガン２００は、前面２１６を有する。図２に示されるように、前面２１６は、バーガン２００の上面２０６に対して垂直であり（例えば、互いに７０°〜１１０°に配置され）、かつノズル２０８の出力方向に対して平行である（例えば、互いに０°〜２０°に配置される）。バーガン２００が使用中であるとき、正面２１６は、バーガン２００のユーザの向かい側（例えば、バーの向かい側）の客に面している。
【００２７】
いくつかの実施形態によれば、広告アクセサリ１００は、スナップ嵌め接続を通してバーガン２００に取り付けられる。フレーム１０８は、ユーザインターフェースプレート２０２がフレーム１０８のユーザインターフェースくぼみ１１０の中へ延在するように、ユーザインターフェースプレート２０２の周囲に延在する。フレーム１０８は、フレーム厚さ１２４を有することができる。フレーム厚さ１２４は、ユーザインターフェースプレート２０２とフレーム１０８との間に形成される継ぎ目を最小にするために、ユーザインターフェースプレート厚さ２１８と同じとすることができる。継ぎ目を最小にすることで、ユーザエクスペリエンスを向上させることができ、かつ広告アクセサリ１００を有するバーガン２００に、より美しく、より一体的な外観を与えることができる。
【００２８】
広告アクセサリ１００の前面１０２は、バーガン２００の前面２１６の上に延在する。係止クリップ１１６は、例えば図４に示されるように、バーガン２００の底面２１３の上に延在する。係止クリップ１１６及びフレーム１０８は、スナップ嵌め接続を作成して、広告アクセサリ１００をバーガン２００に保持する。
【００２９】
広告アクセサリ１００は、バーガン２００の構造的特徴を利用することによって、市場にある既存のバーガンに加えることができる。図２に関して上で論じたように、既存のバーガン２００は、底面２１３と、ユーザインターフェースプレート２０２と、を含む。広告アクセサリ１００は、バーガン２００に接続して、きれいで、滑らかで、一体的な外観を示す。広告アクセサリ１００は、市場にある既存のバーガンへの経済的な追加である。
【００３０】
図３は、広告アクセサリ１００を示す。前面１０２は、ブランディング領域１２２を客３００の方向に提示する。客３００の方向は、バーガン２００を使用している施設の機関の客が位置付けられ得る場所を指し示す。例えば、客がカウンタの反対側のバーテンダと交流するバーにおいてバーガン２００が使用されるとき、バーテンダは、バーガン２００のユーザとして、客３００の方向の反対方向に位置付けられる。継ぎ目１０５は、バッジ嵌合面１０６とブランディングバッジ１０４との間に示される。
【００３１】
継ぎ目１０５は、下で更に詳細に説明されるように、広告アクセサリ１００が交換可能なブランディングバッジ１０４を使用する実施形態に存在し得る。ユーザインターフェースくぼみ１１０は、フレーム１０８内に形成される。ユーザインターフェースくぼみ１１０は、コーナー１１２を有する。コーナー１１２は、バーガン２００のユーザインターフェースプレート２０２のコーナー輪郭２１５に一致する。コーナー１１２は、滑らかな幾何学的形状を有し、かつユーザインターフェースくぼみ１１０の４つの直線状の縁部を滑らかに接続する。ユーザインターフェースくぼみ１１０は、ユーザインターフェースプレート２０２と広告アクセサリ１００との間に密着した嵌合を提供するように、ユーザインターフェースプレート２０２と同じに、又はそれよりも僅かに大きくサイズ決定される。
【００３２】
図４は、広告アクセサリ１００の後面斜視図を示す。後面１１４は、係止クリップ１１６及び側方支持突起１１７によって画定される。係止クリップ１１６は、後面１１４を超えて延在し、かつバーガン２００の底面２１３に係合するように構成される。側方支持突起１１７は、バーガン２００の前面２１６を超えて、丸みのあるコーナー２１２の周囲に延在し、かつバーガン２００の側面２１４まで延在することができる。側方支持突起１１７は、バーガン２００の前面２１６に対称的に位置付けられた広告アクセサリ１００を保持する。上で論じたように、係止クリップ１１６及びフレーム１０８は、スナップ嵌めを作成して、広告アクセサリ１００をバーガン２００に確実に保持する。スナップ嵌め接続の使用は、いかなる追加的な接着剤又は締結具を必要とすることのない、広告アクセサリ１００のバーガン２００に対する素早い導入及び取り外しを可能にする。このようにして、バーガン２００の操作者は、広告アクセサリ１００を変更することによって、ブランディングバーガン２００を変更することができる。
【００３３】
図５は、一実施形態による広告アクセサリ１００の左側面図を示す。広告アクセサリ１００は、フレーム厚さ１２４を有する。上で論じたように、フレーム厚さ１２４は、ユーザインターフェースプレート厚さ２１８と同じとすることができる。取り外しタブ１２０は、前面１０２の反対側のフレーム１０８上に位置付けられる。取り外しタブ１２０は、広告アクセサリ１００のユーザがバーガン２００から広告アクセサリ１００を取り外すのを支援する。バーガン２００に接続された広告アクセサリ１００は、取り外しタブ１２０において例えば指又はスプーン先端部などの物体をフレーム１０８とバーガン２００の上面２０６との間に挿入することによって取り外すことができる。広告アクセサリ１００は、バーガン２００の上面２０６から離れるように、取り外しタブ１２０を引っ張り、フレーム１０８を持ち上げることによって取り外すことができる。フレーム１０８がバーガン２００の上面２０６から十分離れると、広告アクセサリ１００がバーガン２００から分離する。このようにして、広告アクセサリ１００は、バーガン２００を「スナップオフ」すると言うことができる。いくつかの実施形態において、取り外しタブは、フレーム１０８とバーガン２００の上面２０６との間に空間を作成するように、フレーム１０８内の凹部として形成される。
【００３４】
図６は、一実施形態による広告アクセサリ１００を示す。示されるように、広告アクセサリ１００は、バッジ嵌合面１０６を含む。バッジ嵌合面１０６は、ブランディングバッジ１０４と嵌合するように構成される。ブランディングバッジ１０４は、取り外し可能かつ交換可能とすることができる。ブランディングバッジ１０４を交換することで、広告アクセサリ１００がカスタマイズ可能になる。代表的な構造を、ブランディングバッジ１０４Ａ、１０４Ｂ、及び１０４Ｃとして図６に示す。
【００３５】
いくつかの実施形態によれば、広告アクセサリ１００の広告又はブランディングは、バッジ嵌合面１０６上のブランディングバッジ１０４を交換することによって変更することができる。各ブランディングバッジ１０４は、異なるロゴ又は商標を示すことができ、かつ利用可能な製品、季節的な提供物、現地のイベント、又は祝日に応じてユーザによってよって変更することができる。例えば、ブランディングバッジ１０４は、バーガン２００から利用可能な飲料のロゴを示すことができる。代替的に、例えば、ブランディングバッジ１０４は、スポーツチームのロゴ又は他の商標を示すことができる。広告アクセサリ１００のブランディングを変更することを望むユーザは、バッジ嵌合面１０６からブランディングバッジ１０４を取り外すことができる。ブランディングバッジ１０４及びバッジ嵌合面１０６は、スナップ嵌め接続を有することができ、ブランディングバッジ１０４の簡単な交換を可能にする。いくつかの実施形態において、バッジ嵌合面１０６は、ブランディングバッジ１０４をバッジ嵌合面１０６にねじ込むこと、又は別様に固定することができるように、ねじ又は他の接続インタフェースを含むことができる。
【００３６】
図７は、一実施形態による広告アクセサリ１００を示す。図７に示されるように、ユーザインターフェースプレート２０２及び広告アクセサリ１００は、一体構造である。これらの実施形態によれば、広告アクセサリ１００は、取り外し可能な構造ではなく、例えば接着剤によるなどの、より永続的な様態でバーガン２００に取り付けられる。これらの実施形態では、広告アクセサリ１００をバーガン２００に取り付け、ブランディングバッジ１０４だけを変更して、バーガン２００のブランディングを変更する。これらの実施形態によれば、一体の広告アクセサリ１００及びユーザインターフェースプレート２０２を新しいバーガン２００と共に出荷することができ、又は既存のバーガン２００のユーザインターフェースプレート２０２を交換することができる。図７に示されるフレーム及びユーザインターフェースプレート２０２の一体構造はまた、ブランディングバッジ１０４と共に使用することもできる。
【００３７】
いくつかの実施形態によれば、広告アクセサリ１００は、取り外し可能なブランディングバッジ１０４を含むのではなく、一体の前面１０２を有することができる。これらの実施形態において、前面１０２は、ブランディングバッジ１０４などの、いかなる取り外し可能又は交換可能な構成要素も含まない。したがって、広告アクセサリ１００は、一体構造とすることができる。これらの実施形態によれば、広告アクセサリ１００は、バーガン２００上の別の広告アクセサリ１００と交換することができる。このようにして、バーガン２００のブランディングを変更することができる。飲料製品のベンダは、広告アクセサリ１００に飲料製品の出荷品を供給することができる。バーガン２００のユーザが出荷品を受領したとき、ユーザは、広告アクセサリ１００をバーガン２００に取り付けることができる。飲料ベンダは、バーガン２００のユーザに単一のブランド広告アクセサリを供給することができ、又は異なる製品を表示する広告アクセサリ１００及びブランディングバッジ１０４をユーザに供給することができる。
【００３８】
本明細書に記載された特定の実施形態の前述の記載は、図示及び説明の目的のために提示されている。これらの例示的な実施形態は、網羅的であると意図されたものでも、あるいは開示された正確な形態に実施形態を限定するように意図されたものでもない。記載されたすべての特定の詳細が、記載された実施形態を実践するために必要とされるわけではない。
【００３９】
上述の教示の観点から多くの変更形態及び変形形態が可能であること、及び当該技術分野の範囲内の知識を適用することにより、過度の実証をすることなく、本発明の全般的な概念から逸脱することなく、このような特定の実施形態を種々の用途に容易に修正及び／又は適応させ得ることが、当業者に明らかとなるであろう。このような適応及び修正は、本明細書に提示された教示及び指導に基づいて、開示された実施形態の等価物の意味及び範囲内にあることが意図される。
【００４０】
「発明を実施するための最良の形態」の節は、「特許請求の範囲」を解釈するために使用されることを意図している。「発明の概要」及び「要約書」の節は、（複数の）発明者により想到されるように、本発明の１つ以上であるがすべてではない例示的な実施形態を記載し得、したがって、本発明及び特許請求の範囲を限定することを意図されるものではない。
【００４１】
本明細書で使用された表現法又は用語法は、本明細書の用語法又は表現法が当業者により解釈されるように、説明の目的のためであって限定を意図するものではない。
【００４２】
本発明（複数可）の広がり及び範囲は、上記の例示的な実施形態のいずれによっても制限されるべきではなく、特許請求の範囲及びそれらの等価物に従ってのみ定義されるべきである。
【図１】
0006921238.tif 000002
【図２】
0006921238.tif 000003
【図３】
0006921238.tif 000004
【図４】
0006921238.tif 000005
【図５】
0006921238.tif 000006
【図６】
0006921238.tif 000007
【図７】
0006921238.tif 000008